(57)【要約】【課題】磁性鍋，非磁性ステンレス鍋，非磁性鍋のうち異種の鍋を同時に加熱するときに干渉音の無い電磁誘導加熱用インバータと電磁調理器を提供する。【解決手段】インバータ１０５，１０６と加熱コイル１０４，１０４とを含み電磁誘導によりトッププレート１０３上に載せた磁性鍋，非磁性ステンレス鍋，非磁性鍋１０１，１０２のいずれかを加熱する加熱回路を複数有する電磁調理器において、複数の加熱回路がそれぞれ異なる種類の鍋１０１，１０２を加熱するときには、加熱する鍋１０１，１０２の等価インピーダンスに合わせて複数の加熱回路の動作周波数を少なくとも１０ｋＨｚ以上離して設定するインバータ制御手段１０９を備えた。干渉音低減のためのノイズフィルタ等が不要になり、回路の効率が向上し、省エネルギーに有効であり、装置の小型化，コストダウンに効果がある。【選択図】　　　　図３
2004031247.tif 000002
【特許請求の範囲】
【請求項１】
インバータと加熱コイルとを含み電磁誘導により金属負荷を加熱する加熱回路を複数有する電磁誘導加熱用インバータにおいて、
前記複数の加熱回路がそれぞれ異なる金属負荷を加熱するときには、加熱する金属負荷の等価インピーダンスに合わせて前記複数の加熱回路の動作周波数を少なくとも１０ｋＨｚ以上離して設定するインバータ制御手段を備えた
ことを特徴とする電磁誘導加熱用インバータ。
【請求項２】
インバータと加熱コイルとを含み電磁誘導により金属負荷を加熱する加熱回路を複数有する電磁誘導加熱用インバータにおいて、
前記加熱コイルに流れる電流を検出する電流検出回路と、前記複数の加熱回路がそれぞれ異なる金属負荷を加熱するときには、検出された電流に合わせて前記複数の加熱回路の動作周波数を少なくとも１０ｋＨｚ離して設定するインバータ制御手段とを備えた
ことを特徴とする電磁誘導加熱用インバータ。
【請求項３】
請求項２に記載の電磁誘導加熱用インバータにおいて、
前記電流検出回路が、前記インバータのＩＧＢＴに内蔵されたセンスＩＧＢＴと、センス抵抗とを含み、前記電流により生ずる電圧を検出する回路である
ことを特徴とする電磁誘導加熱用インバータ。
【請求項４】
請求項２に記載の電磁誘導加熱用インバータにおいて、
前記電流検出回路が、前記インバータ内の配線インダクタンスと、前記配線インダクタンスに発生する電圧を積分し電流に換算する積分器とを含む
ことを特徴とする電磁誘導加熱用インバータ。
【請求項５】
インバータと加熱コイルとを含み電磁誘導によりトッププレート上に載せた磁性鍋，非磁性ステンレス鍋，非磁性鍋のいずれかを加熱する加熱回路を複数有する電磁調理器において、
前記複数の加熱回路がそれぞれ異なる種類の前記鍋を加熱するときには、加熱する前記鍋の等価インピーダンスに合わせて前記複数の加熱回路の動作周波数を少なくとも１０ｋＨｚ以上離して設定するインバータ制御手段を備えた
ことを特徴とする電磁調理器。
【請求項６】
インバータと加熱コイルとを含み電磁誘導によりトッププレート上に載せた磁性鍋，非磁性ステンレス鍋，非磁性鍋のいずれかを加熱する加熱回路を複数有する電磁調理器において、
前記加熱コイルに流れる電流を検出する電流検出回路と、前記複数の加熱回路がそれぞれ異なる種類の鍋を加熱するときには、検出された電流に合わせて前記複数の加熱回路の動作周波数を少なくとも１０ｋＨｚ離して設定するインバータ制御手段とを備えた
ことを特徴とする電磁調理器。
【請求項７】
請求項６に記載の電磁調理器において、
前記電流検出回路が、前記インバータのＩＧＢＴに内蔵されたセンスＩＧＢＴと、センス抵抗とを含み、前記電流により生ずる電圧を検出する回路である
ことを特徴とする電磁調理器。
【請求項８】
請求項６に記載の電磁調理器において、
前記電流検出回路が、前記インバータ内の配線インダクタンスと、前記配線インダクタンスに発生する電圧を積分し電流に換算する積分器とを含む
ことを特徴とする電磁調理器。
【発明の詳細な説明】
【０００１】
【発明の属する技術分野】
本発明は、電力用スイッチング素子を含む電磁誘導加熱用インバータおよび電磁調理器に係り、特に、複数の加熱部を備えた電磁調理器における干渉音の抑制に関する。
【０００２】
【従来の技術】
電磁誘導により鍋そのものを加熱する電磁調理器が広く使われるようになってきている。電磁調理器は、火を使わないため安全であり、効率も高いので、省エネルギーに有効であり、近年、一般家庭への導入が急速に進んでいる。
【０００３】
図１は、従来の電磁調理器の一般的構成を示すブロック図である。図１の電磁調理器においては、磁性鍋１０１と非磁性ステンレス鍋１０２とが、トッププレート（強化ガラス）１０３上に載せられている。トッププレート１０３の下には、例えば２個の加熱コイル１０４，１０４と、ＩＧＢＴを含む第１インバータ１０５と、ＩＧＢＴを含む第２インバータ１０６と、電流検知回路１０７，１０７と、カレントトランス１０８，１０８と、マイクロコンピュータなどを含むインバータ制御手段１０９とが、配置されている。
【０００４】
電磁調理器で加熱できる鍋は、大きく分けて、３種類ある。第１は、鉄鍋，磁性ステンレス鍋に代表される磁性鍋であり、第２は、磁性鍋および非磁性鍋の中間の特性を持つ非磁性ステンレス鍋であり、第３は、アルミ鍋，銅鍋などの非磁性鍋である。
【０００５】
非磁性鍋の動作周波数は、磁性鍋と比べてはもちろん、非磁性ステンレス鍋と比べて、動作周波数が少なくとも１０ｋＨｚ以上高いので、他の種類の鍋と組合せても、干渉音は問題にならない。
【０００６】
したがって、ここでは、干渉が問題となる磁性鍋と非磁性ステンレス鍋との組合せに限り、回路の動作周波数と入力電力との関係を説明する。
【０００７】
図２は、従来の電磁調理器における動作周波数と入力電力との関係を説明する図である。非磁性ステンレス鍋は、自己インダクタンスが小さいため、動作周波数が磁性鍋よりも５ｋＨｚ程度高くなる。非磁性ステンレス鍋を加熱するときには、磁性鍋よりも５ｋＨｚ程度高い動作周波数で駆動し、入力電力を調整している。
【０００８】
【発明が解決しようとする課題】
しかし、電流共振回路を少なくとも２個搭載した電磁調理器では、種類が異なる鍋を使ったときに、動作周波数が異なるために、２種類の動作周波数が合成され、干渉音が発生する。
【０００９】
電磁調理器は、一般的に複数個の加熱部を持っている製品が多い。各加熱部で種類が異なる鍋を使用した場合、各インバータの動作周波数が異なるので、インバータ１とインバータ２との合成波が発生する。この合成波が人間の可聴周波数（一般的に２０〜１６ｋＨｚ）内にあると、人間に不快な干渉音として聞こえてしまう。
【００１０】
干渉音を抑制するには、共振コンデンサおよび／または加熱コイルを可変にして、図２の共振ピークが重なるように、同一の動作周波数で駆動する方法がある。
【００１１】
しかし、この方法では、共振コンデンサ，加熱コイルの部品点数が増え、共振コンデンサ，加熱コイルの切り替えに必要な素子が増加し、コストアップになるとともに、増加した素子の分の損失により、インバータ効率が低下する。また、電磁調理器が、大型となる。
【００１２】
例えば、特開平０９−１８５９８６号公報，特開２００２−００８８４０号公報に記載のように、スイッチング素子をオン／オフ駆動する制御信号と同一周波数で、加熱出力に応じて遅延量のみ変えた制御信号を個別の電流経路のスイッチング素子に供給し、オン／オフ駆動させる方法がある。
【００１３】
しかし、この方法では、回路構成および制御手順が複雑になる。
【００１４】
また、特開２００２−０９３５６２号公報は、動作周波数の差が１ｋＨｚ以下かどうかを判別し、１ｋＨｚを越えていれば、１ｋＨｚ以下の差になるように高い方の動作周波数を低くして運転する方法を示している。
【００１５】
しかし、１ｋＨｚ以下の差では、干渉音が可聴周波数となるので、本発明者らの確認試験によれば、干渉音対策としては、不十分であった。
【００１６】
本発明の目的は、干渉音がなく高効率で低コストの電磁誘導加熱用インバータおよびこの電磁誘導加熱用インバータを採用した電磁調理器を提供することである。
【００１７】
【課題を解決するための手段】
本発明は、上記目的を達成するために、インバータと加熱コイルとを含み電磁誘導により金属負荷を加熱する加熱回路を複数有する電磁誘導加熱用インバータにおいて、前記複数の加熱回路がそれぞれ異なる金属負荷を加熱するときには、加熱する金属負荷の等価インピーダンスに合わせて前記複数の加熱回路の動作周波数を少なくとも１０ｋＨｚ以上離して設定するインバータ制御手段を備えた電磁誘導加熱用インバータを提案する。
【００１８】
本発明によれば、負荷に合わせて異なった動作周波数でインバータを駆動する場合に、１０ｋＨｚ以上の差を付けることにより、合成波が人間の可聴周波数以上となり、干渉音をなくすことができる。
【００１９】
本発明は、また、インバータと加熱コイルとを含み電磁誘導により金属負荷を加熱する加熱回路を複数有する電磁誘導加熱用インバータにおいて、前記加熱コイルに流れる電流を検出する電流検出回路と、前記複数の加熱回路がそれぞれ異なる金属負荷を加熱するときには、検出された電流に合わせて前記複数の加熱回路の動作周波数を少なくとも１０ｋＨｚ離して設定するインバータ制御手段とを備えた電磁誘導加熱用インバータを提案する。
【００２０】
このように、金属負荷の種類は、加熱コイルに流れる電流を検出して判別してもよい。
【００２１】
前記電流検出回路は、前記インバータのＩＧＢＴに内蔵されたセンスＩＧＢＴと、センス抵抗とを含み、前記電流により生ずる電圧を検出する回路とすることができる。
【００２２】
本発明において、センスＩＧＢＴやセンス抵抗は、ＩＧＢＴ本体の製造プロセスで作り込めるので、コストアップの要因とはならない。
【００２３】
前記電流検出回路は、前記インバータ内の配線インダクタンスと、前記配線インダクタンスに発生する電圧を積分し電流に換算する積分器とを含むようにしてもよい。
【００２４】
本発明によれば、カレントトランスや電流検知回路を使用することなく回路を構成でき、安価で信頼性の高い電磁誘導加熱用インバータを実現できる。
【００２５】
本発明は、上記目的を達成するために、インバータと加熱コイルとを含み電磁誘導によりトッププレート上に載せた磁性鍋，非磁性ステンレス鍋，非磁性鍋のいずれかを加熱する加熱回路を複数有する電磁調理器において、前記複数の加熱回路がそれぞれ異なる種類の前記鍋を加熱するときには、加熱する前記鍋の等価インピーダンスに合わせて前記複数の加熱回路の動作周波数を少なくとも１０ｋＨｚ以上離して設定するインバータ制御手段を備えた電磁調理器を提案する。
【００２６】
本発明によれば、負荷に合わせて異なった動作周波数でインバータを駆動する場合に、１０ｋＨｚ以上の差を付けることにより、合成波が人間の可聴周波数以上となり、干渉音をなくすことができる。
【００２７】
本発明は、さらに、インバータと加熱コイルとを含み電磁誘導によりトッププレート上に載せた磁性鍋，非磁性ステンレス鍋，非磁性鍋のいずれかを加熱する加熱回路を複数有する電磁調理器において、前記加熱コイルに流れる電流を検出する電流検出回路と、前記複数の加熱回路がそれぞれ異なる種類の鍋を加熱するときには、検出された電流に合わせて前記複数の加熱回路の動作周波数を少なくとも１０ｋＨｚ離して設定するインバータ制御手段とを備えた電磁調理器を提案する。
【００２８】
このように、磁性鍋，非磁性ステンレス鍋，非磁性鍋のいずれであるかは、加熱コイルに流れる電流を検出すれば、判別できる。
【００２９】
前記電流検出回路は、前記インバータのＩＧＢＴに内蔵されたセンスＩＧＢＴと、センス抵抗とを含み、前記電流により生ずる電圧を検出する回路とすることが可能である。
【００３０】
本発明において、センスＩＧＢＴやセンス抵抗は、ＩＧＢＴ本体の製造プロセスで作り込めるので、コストアップの要因とはならない。
【００３１】
前記電流検出回路は、前記インバータ内の配線インダクタンスと、前記配線インダクタンスに発生する電圧を積分し電流に換算する積分器とを含むことができる。
【００３２】
本発明によれば、カレントトランスや電流検知回路を使用することなく回路を構成でき、安価で信頼性の高い電磁誘導加熱用インバータを実現できる。
【００３３】
【発明の実施の形態】
図３は、２つの加熱部を持つ本発明による電磁調理器の全体構成を示すブロック図である。図３の本発明による電磁調理器においては、磁性鍋１０１と非磁性ステンレス鍋１０２とが、トッププレート（強化ガラス）１０３上に載せられている。トッププレート１０３の下には、２個の加熱コイル１０４，１０４と、ＩＧＢＴを含む第１インバータ１０５と、ＩＧＢＴを含む第２インバータ１０６と、マイクロコンピュータなどを含むインバータ制御手段１０９とが、配置されている。
【００３４】
本実施形態においては、図１に示した従来の電磁調理器に設置されていた電流検知回路１０７，１０７およびカレントトランス１０８，１０８が無い。
【００３５】
本実施形態の特徴は、磁性鍋と非磁性ステンレス鍋との動作周波数を１０ｋＨｚ以上離して動作させることである。既に述べたように、非磁性鍋の動作周波数は、磁性鍋と比べてはもちろん、非磁性ステンレス鍋と比べて、動作周波数が少なくとも１０ｋＨｚ以上高いので、他の種類の鍋と組合せても、干渉音は問題にならないから、特別の対策は不要である。
【００３６】
【実施形態１】
図４は、本発明による電磁誘導加熱用インバータの実施形態１の構成を示す回路図である。
【００３７】
図４に示した電流共振型の電磁誘導加熱用インバータは、交流電源２０１と、整流回路例えばダイオードブリッジからなる整流回路２０２と、平滑用リアクトル２０３と、平滑用コンデンサ２０４と、上アームＩＧＢＴ２０５と、下アームＩＧＢＴ２０６と、上アームダイオード２０７と、下アームダイオード２０８と、スナバコンデンサ２０９，２１０と、共振コンデンサ２１１，２１２と、加熱コイル２１３と、抵抗２１４，２１５と、ゲート駆動回路２１６，２１７とから構成される。
【００３８】
図３の電磁調理器の全体構成と対比すると、実施形態１の電流共振型の電磁誘導加熱用インバータは、第１インバータ１０５または第２インバータ１０６に相当し、加熱コイル２１３は、加熱コイル１０４に相当する。
【００３９】
この電流共振型の電磁誘導加熱用インバータの動作を説明する。まず、上アームＩＧＢＴ２０５，下アームＩＧＢＴ２０６がオフの状態を考える。この状態では、ゲート駆動回路２１６，ゲート駆動回路２１７からは、信号が出ていないので、ＩＧＢＴ２０５およびＩＧＢＴ２０６のゲートは、０Ｖになっており、加熱コイル２１３には、電流が流れない。ＩＧＢＴ２０５のコレクタとＩＧＢＴ２０６のエミッタとの間には、整流回路２０２の出力電圧が印加されている。
【００４０】
次に、オン状態を説明する。ゲート駆動回路２１６からオンの信号がＩＧＢＴ２０５のゲートに入力されると、ＩＧＢＴ２０５がオンし、ＩＧＢＴ２０５，加熱コイル２１３，共振コンデンサ２１２，共振コンデンサ２１１，スナバコンデンサ２０９に電流が流れ始める。
【００４１】
ＩＧＢＴ２０５を所定のタイミングでオフさせると、ＩＧＢＴ２０５に流れる電流が、遮断される。加熱コイル２１３に蓄えられたエネルギーにより、共振コンデンサ２１２，スナバコンデンサ２１０，加熱コイル２１３のループと、共振コンデンサ２１１，スナバコンデンサ２０９，加熱コイル２１３のループとに、電流が流れる。
【００４２】
次に、スナバコンデンサ２０９が充電され、スナバコンデンサ２１０が放電されると、共振コンデンサ２１１，平滑コンデンサ２０４，ダイオード２０８，加熱コイル２１３のループと、共振コンデンサ２１２，ダイオード２０８，加熱コイル２１３のループとに、電流が流れる。
【００４３】
加熱コイル２１３に蓄えられたエネルギーがなくなると、共振コンデンサ２１１および共振コンデンサ２１２に充電されたエネルギーにより、逆方向に電流が流れ始める。
【００４４】
電流が逆方向に流れる前に、下アームＩＧＢＴ２０６にゲート駆動回路２１７からオンの信号を入力し、ＩＧＢＴ２０６をオンさせておくと、共振コンデンサ２１１および２１２から加熱コイル２１３を通ってＩＧＢＴ２０６に電流が流れる。
【００４５】
ＩＧＢＴ２０６を所定のタイミングでオフさせると、ＩＧＢＴ２０６に流れる電流が、遮断される。加熱コイル２１３に蓄えられたエネルギーにより、共振コンデンサ２１２，加熱コイル２１３，スナバコンデンサ２１０のループと、加熱コイル２１３，共振コンデンサ２１１，スナバコンデンサ２０９のループとに、電流が流れる。
【００４６】
次に、スナバコンデンサ２０９が放電され、スナバコンデンサ２１０が充電されると、ダイオード２０７がオンし、共振コンデンサ２１１，加熱コイル２１３のループと、共振コンデンサ２１２，加熱コイル２１３，ダイオード２０７，平滑コンデンサ２０４のループとに、電流が流れる。
【００４７】
図５は、本発明による電磁誘導加熱用インバータの実施形態１における合成波の波形の一例を示す図である。本例のインバータ１の動作周波数は２０ｋＨｚであり、インバータ２の動作周波数は３０ｋＨｚである。このとき合成波は、１６ｋＨｚとなり、人間の可聴周波数の上限に近いので、干渉音は聞こえなくなる。
【００４８】
図６は、本発明による電磁誘導加熱用インバータの実施形態１におけるＩＮＶ１の動作周波数とＩＮＶ２の動作周波数との差に対する合成波の周波数の関係を示す図である。
【００４９】
このときのインバータ１の動作周波数は、２０ｋＨｚに固定してある。ＩＮＶ２の動作周波数が３０ｋＨｚより低いと、合成波の周波数が可聴周波数上限の１６ｋＨｚ以下となり、干渉音が聞こえるようになる。
【００５０】
これに対し、ＩＮＶ２の動作周波数が３０ｋＨｚより高く、ＩＮＶ１の動作周波数との差が１０ｋＨｚ以上になると、ＩＮＶ２の動作周波数の２０ｋＨｚに近づく。
【００５１】
したがって、磁性鍋の動作周波数よりも非磁性ステンレス鍋の動作周波数を１０ｋＨｚ以上高くすると、合成波が可聴周波数以上になり、干渉音がなくなる。
【００５２】
本実施形態１によれば、２つのインバータの鍋が異なったときに１０ｋＨｚ以上離れた動作周波数で駆動し、合成波の周波数を人間の可聴周波数以上にして、干渉音をなくすことができる。
【００５３】
【実施形態２】
図７は、本発明による電磁誘導加熱用インバータの実施形態２の構成を示す回路図である。本実施形態２は、図４の実施形態１に対して、センスＩＧＢＴを内蔵する上アームＩＧＢＴ６０１と、センスＩＧＢＴを内蔵する下アームＩＧＢＴ６０２とを採用し、上アームのセンス抵抗６０３と、下アームのセンス抵抗６０４とを付加した回路である。
【００５４】
本実施形態２は、上下アームのＩＧＢＴにセンスＩＧＢＴを内蔵し、負荷に流れる電流を検出する方式である。センスＩＧＢＴやセンス抵抗は、ＩＧＢＴ本体の製造プロセスで作り込めるので、コストアップの要因とはならない。
【００５５】
図８は、本発明による電磁誘導加熱用インバータの実施形態２における動作波形の一例を示す図である。ＩＧＢＴ本体と比べて、センスＩＧＢＴは、約１０００分１程度の導通面積になっている。したがって、センスＩＧＢＴには、導通面積に比例し、ＩＧＢＴ本体に流れる電流の約１／１０００程度の電流が流れる。
【００５６】
センスＩＧＢＴに流れる電流によりセンス抵抗に電圧が発生するので、この電圧から電流値を検出する。検出した電流値に基づき、インバータ制御手段１０９で負荷を判別し、負荷に応じた動作周波数でＩＧＢＴを駆動する。
【００５７】
本実施形態２によれば、カレントトランスや電流検知回路を使用することなく回路を構成でき、安価で信頼性の高い電磁誘導加熱用インバータを実現できる。
【００５８】
【実施形態３】
図９は、本発明による電磁誘導加熱用インバータの実施形態３の構成を示す回路図である。本実施形態３は、図４の実施形態１に対して、配線インダクタンス８０１，８０２と、積分器８０３，８０４とを付加した回路である。配線インダクタンス８０１，８０２は回路パターンに付随して必ず存在するので、積分器８０３，８０４を付加するだけでよい。
【００５９】
本実施形態３は、配線インダクタンス８０１，８０２を利用し、配線インダクタンスに発生する電圧を積分器８０３，８０４で電流値に換算する方式である。
【００６０】
本実施形態２においても、カレントトランスや電流検知回路を使用することなく回路を構成できるので、安価で信頼性の高い電磁誘導加熱用インバータを実現できる。
【００６１】
ここでは、ＩＧＢＴのエミッタ側配線を利用したが、他の配線を利用しても、同様の効果が得られる。
【００６２】
【発明の効果】
本発明によれば、負荷に合わせて異なった動作周波数でインバータを駆動する場合に、１０ｋＨｚ以上の差を付けることにより、合成波が人間の可聴周波数以上となり、干渉音をなくすことができる。
【００６３】
また、干渉音低減のためのノイズフィルタ等が不要になり、回路の効率が向上し、省エネルギーに有効であり、装置の小型化，コストダウンに効果がある。
【００６４】
さらに、回路の高効率化に伴い、放熱対策が不要になり、この点でも、機器の小型化，コストダウンに効果がある。
【図面の簡単な説明】
【図１】従来の電磁調理器の一般的構成を示すブロック図である。
【図２】従来の電磁調理器における周波数と入力電力との関係を説明する図である。
【図３】２つの加熱部を持つ本発明による電磁調理器の全体構成を示すブロック図である。
【図４】本発明による電磁誘導加熱用インバータの実施形態１の構成を示す回路図である。
【図５】本発明による電磁誘導加熱用インバータの実施形態１における合成波の波形の一例を示す図である。
【図６】本発明による電磁誘導加熱用インバータの実施形態１におけるＩＮＶ１の動作周波数とＩＮＶ２の動作周波数との差に対する合成波の周波数の関係を示す図である。
【図７】本発明による電磁誘導加熱用インバータの実施形態２の構成を示す回路図である。
【図８】本発明による電磁誘導加熱用インバータの実施形態２における動作波形の一例を示す図である。
【図９】本発明による電磁誘導加熱用インバータの実施形態３の構成を示す回路図である。
【符号の説明】
１０１　磁性鍋
１０２　非磁性ステンレス鍋
１０３　トッププレート（強化ガラス）
１０４　加熱コイル
１０５　（第１）インバータ
１０６　（第２）インバータ
１０７　電流検知回路
１０８　カレントトランス
１０９　インバータ制御手段
２０１　交流電源
２０２　整流回路
２０３　平滑用リアクトル
２０４　平滑用コンデンサ
２０５　上アームＩＧＢＴ
２０６　下アームＩＧＢＴ
２０７　上アームダイオード
２０８　下アームダイオード
２０９　スナバコンデンサ
２１０　スナバコンデンサ
２１１　共振コンデンサ
２１２　共振コンデンサ
２１３　加熱コイル（１０４）
２１４　抵抗
２１５　抵抗
２１６　ゲート駆動回路
２１７　ゲート駆動回路
６０１　センスＩＧＢＴを内蔵する上アームＩＧＢＴ
６０２　センスＩＧＢＴを内蔵する下アームＩＧＢＴ
６０３　上アームのセンス抵抗
６０４　下アームのセンス抵抗
８０１　配線インダクタンス
８０２　配線インダクタンス
８０３　積分器
８０４　積分器
【図１】
2004031247.tif 000003
【図２】
2004031247.tif 000004
【図３】
2004031247.tif 000005
【図４】
2004031247.tif 000006
【図５】
2004031247.tif 000007
【図６】
2004031247.tif 000008
【図７】
2004031247.tif 000009
【図８】
2004031247.tif 000010
【図９】
2004031247.tif 000011